(57)【要約】動物の糞を回収するための器具はバトン（１０）から成り、このバトン（１０）においては、広がった底端部（１０Ｂ）に向かい少なくとも底部（１０Ａ）が管状をなし、かつ、使い捨てカートリッジ（１２）を内部に取り付けた開口端を有する。カートリッジ（１２）は、バトン（１０）内にある容器（１４）と連動する１つのあるいは連続する開口を有する回収手段を備えている。また、使用後に廃棄するため、バトン（１０）からカートリッジ（１２）を取り出すための手段が設けられている。カートリッジ（１２）は、バトン（１０）の外部に配置された格納リング（１６）を有する。回収手段は、１つのあるいは連続した開口が明確にされているリング部材（１８）を備える。リング部材（１８）は、糞を持上げる動作最中に格納リング１６に対して稼動する。
2004503225.tif 000002
【特許請求の範囲】
【請求項１】
広がった底端部に向かって少なくとも底部が管状をなし、かつ、バトン内にある容器と連動する１つのあるいは連続する開口を有する回収手段を備えたカートリッジである使い捨てカートリッジを内部に取り付けた開口端を有するバトンと、使用後に廃棄するため、バトンからカートリッジを取り出す手段とから成る動物の糞を回収する器具であることを特徴とし、ここで、カートリッジはバトンの外部に配置された格納リングを有しており、また、回収手段は１つのあるいは連続した開口が明確にされているリング部材を備えており、このリング部材は、糞を持上げる動作の最中に格納リングに対して稼動することを特徴とする動物の糞を回収する器具。
【請求項２】
回収手段は、リング部材が横断配置された一方の端の管状ボディと、容器を備えたもう一方の端部と、そして、内部可動式サブアセンブリの低端部に設けられたグリップ手段にてかみ合わせされる取り込み手段とにより構成されていることを特徴とする請求項１に記載の動物の糞を回収する器具。
【請求項３】
サブアセンブリは、グリップ手段を有する開口低端部と、バトンの最上部にてロッドによりハンドルに連結した閉じた上端部とを有し、かつ、バトンに対して可動式に取り付けされた、円錐台状のコーンから成ること特徴とする請求項２に記載の動物の糞を回収する器具。
【請求項４】
バトンの最上部に向かい、２つの対向したガイドウェイが設けられており、これらガイドは、バトンの縦軸に平行な第一伸長部分、第一部分の最上部にある第二横スライド部分、および、第一伸長部分に平行であり、かつ上方に伸長した、短い第三伸長部分を有することを特徴とする請求項１、請求項２、あるいは請求項３に記載の動物の糞を回収する器具。
【請求項５】
ハンドルの内部には、ガイドウェイをトラックする、対向し内部で伸長する２つのガイドが備わっていることを特徴とする請求項４に記載の動物の糞を回収する器具。
【請求項６】
つめ、あるいは移動防止部が第二横スライド部分に効果的に配置されており、第一部分と第三部分間における偶発的な動作を防止することを特徴とする請求項４あるいは請求項５に記載の動物の糞を回収する器具。
【請求項７】
ハンドルはバトンからバネ性をバイアスされており、ガイドウェイの第一伸長部分の長さにより、格納リングのトップ位置とそのボトム位置間におけるリング部材の動作範囲を決定することを特徴とする請求項４、請求項５、あるいは請求項６に記載の動物の糞を回収する器具。
【請求項８】
ハンドルの回転動作により、つめ、あるいは移動防止部を通過し、各ガイドウェイの第二横スライド部分、かつ第三部分にガイドを移動させることを特徴とし、該ハンドルはバネ性バイアスによって作動し、取り出されるカートリッジと取り込み手段とをグリップ手段によって分離させるものとし、また、ガイドウェイの第三部分の長さによりハンドル動作の限界が決定されることを特徴とする請求項４、請求項５、請求項６、および請求項７のいずれか１つに記載の動物の糞を回収する器具。
【請求項９】
格納リングはその上端部に内側に向けられたリップを備えており、また、リング部材の下の管状ボディには外側に向けられたフランジが備わり、リップをかみ合わせることを特徴とする先行する請求項のうちのいずれか１つに記載の動物の糞を回収する器具。
【請求項１０】
格納リングはその上端部に摩擦により密着するショルダーを備え、バトンの管状壁の低端部とかみ合うことを特徴とする先行する請求項のうちのいずれか１つに記載の動物の糞を回収する器具。
【請求項１１】
キャップが、格納リングの低端部かつ側部に摩擦密着するように装着されていることを特徴とする先行する請求項のうちのいずれか１つに記載の動物の糞を回収する器具。
【請求項１２】
リング部材はその周囲から内部に伸長する、放射状に連続したフィンガーを備えていることを特徴とする先行する請求項のうちのいずれか１つに記載の動物の糞を回収する器具。
【請求項１３】
８本のフィンガーが連続しており、４本のフィンガーは他の４本のフィンガーよりも長くなっており、長いフィンガーと短いフィンガーとは交互に配置されていることを特徴とする請求項１２に記載の動物の糞を回収する器具。
【請求項１４】
フィンガー全部のそれぞれの内端部は効果的に球状の終端部を有することを特徴とする請求項１２あるいは請求項１３に記載の動物の糞を回収する器具。
【請求項１５】
添付の図面に関して説明を行った内容と実質的に同様の動物の糞を回収する器具。
【発明の詳細な説明】
【０００１】
本発明は、特に犬もしくは他の動物と散歩中、あるいは家の庭や遊び場で他の動物が排泄したあとに動物の糞を回収する器具に関するものである。
【０００２】
動物の糞を回収するための器具はバトンから成り、このバトンにおいては、広がった底端部に向かって少なくとも底部が管状をなし、かつ、使い捨てカートリッジを内部に取り付けた開口端を有している。カートリッジは、バトン内にある容器と連動する１つのあるいは連続する開口を有する回収手段を備えており、かつ、使用後に廃棄するため、バトンからカートリッジを取り出すための手段が設けられている。カートリッジはバトンの外部に配置された格納リングを有しており、また、回収手段は１つのあるいは連続した開口が明確にされているリング部材を備えている。このリング部材は、糞を持上げる動作の最中に、格納リングに対して稼動する。
好ましくは、回収手段は、リング部材が横断配置された一方の端の管状ボディと、例えばプラスチック素材のバッグといったような容器を有するもう一方の端部と、そして、内部可動式サブアセンブリの低端部に設けられたグリップ手段にてかみ合わせされる取り込み手段とにより構成される。サブアセンブリは、望ましくは、グリップ手段を有する開口低端部と、バトンの最上部にてロッドによりハンドルに連結した閉じた上端部とを有し、かつ、バトンに対して可動式に取り付けされた、円錐台状のコーンから成る。また、バトンの最上部に向かい、２つの対向したガイドウェイが効果的に設けられており、これらガイドウェイは、バトンの縦軸に平行な第一伸長部分、第一部分の最上部にある第二横スライド部分、および、第一伸長部分に平行であり、かつ上方に伸長した、短い第三伸長部分を有する。望ましくはハンドルの内部に、ガイドウェイをトラックする、対向し内部で伸長する２つのガイドを備える。つめ、あるいは移動防止部が第二横スライド部分に効果的に配置され、第一部分と第二部分間における偶発的な動作を防止する。ハンドルは好ましくはバトンからバネ性をバイアスされており、ガイドウェイの第一伸長部分の長さは、格納リングのトップ位置とそのボトム位置間におけるリング部材の動作範囲、すなわちその引き上げ動作範囲を決定する。ハンドルの回転動作により、ガイドが、つめ、あるいは移動防止部を通過して、各ガイドウェイの第二横スライド部分に、かつ第三部分に移動出来ることが望ましい。ハンドルがバネ性バイアスによって作動し、取り出されるカートリッジと取り込み手段とをグリップ手段によって分離させる。ガイドウェイの第三部分の長さによりハンドル動作の限界が決定される。
また望ましくは、格納リングはその上端部に内側に向けられたリップを備えている。また、リング部材の下の管状ボディには外側に向けられたフランジが備わり、リップをかみ合わせる。格納リングは望ましくはその上端部に摩擦により密着するショルダーを備え、バトンの管状壁の低端部とかみ合う。これにより、サブアセンブリの上方への動きによりカートリッジが取り出されようとするとき、カートリッジが上方に動くのを防止することが出来る。望ましくは、キャップが、格納リングの低端部かつ側部に摩擦密着するように装着される。
さらに望ましくは、リング部材はその周囲から内部に伸長する、放射状に連続したフィンガーを備える。８本のフィンガーは連続しており、４本のフィンガーは他の４本のフィンガーよりも長い。長いフィンガーと短いフィンガーとは交互に配置されている。フィンガー全部のそれぞれの内端部は効果的に球状の終端部を有する。
【０００３】
本発明の実施の形態を、添付の図面に関して例示の方法により詳細な説明を行う。
図面において、動物の糞を回収するための器具はバトン１０から成り、このバトン１０においては、広がった底端部１０Ｂに向かい少なくとも底部１０Ａが管状をなし、かつ、使い捨てカートリッジ１２を内部に取り付けた開口端を有している。カートリッジ１２は、バトン１０内にある容器１４と連動する１つのあるいは連続する開口を有する回収手段を備えている。また、使用後に廃棄するため、バトン１０からカートリッジ１２を取り出すための手段が設けられている。カートリッジ１２は、バトン１０の外部に配置された格納リング１６を有する。回収手段は、１つのあるいは連続した開口が明確にされているリング部材１８を備えている。リング部材１８は、糞を持上げる動作の最中に格納リング１６に対して稼動する。
回収手段の構成は、リング部材１８が横断配置された一方の端の管状ボディ２０と、例えばプラスチック素材のバッグといったような容器１４を有するもう一方の端部と、そして、内部可動式サブアセンブリ２４の低端部に設けられたグリップ手段にてかみ合わせされる、連続した、あるいは部分的に連続した末端リブ２２の形状の取り込み手段とにより成されている。サブアセンブリ２４は、グリップ手段を有する開口低端部と、バトン１０の最上部にてロッド２８によりハンドル３０に連結した閉じた上端部とを有し、かつ、バトン１０に対して可動式に取り付けされた、円錐台状のコーン２６から成る。また、バトン１０の最上部に向かい、２つの対向したガイドウェイ３２が設けられており、これらガイドウェイは、バトン１０の縦軸に平行な第一伸長部分３２Ａ、第一部分３２Ａの最上部にある第二横スライド部分３２Ｂ、および、第一伸長部分３２Ａに平行、かつ上方に伸長した、短い第三伸長部分３２Ｃを有する。ハンドル３０の内部には、ガイドウェイ３２をトラックする、対向し内部で伸長した２つのガイド３４が備わっている。つめ、あるいは移動防止部３６が第二横スライド部分３２Ｂに配置され、第一部分３２Ａと第二部分３２Ｃ間における偶発的な動作を防止する。ハンドル３０は、引張りばね３８によりバトン１０からバネ性をバイアスされており、ガイドウェイ３２の第一伸長部分３２Ａの長さは、格納リング１６のトップ位置とそのボトム位置間におけるリング部材１８の動作範囲、すなわちその引き上げ動作範囲を決定する。ハンドル３０の回転動作により、ガイド３４が、つめ、あるいは移動防止部３６を通過して、各ガイドウェイ３２の第二横スライド部分３２Ｂに、かつ第三部分３２Ｃに移動することが可能である。ハンドル３０がバネ性バイアスによって作動し、取り出されるカートリッジ１２と取り込み手段とをグリップ手段によって分離させる。ガイドウェイ３２の第三部分３２Ｃの長さによりハンドル動作の限界が決定される。
【０００４】
格納リング１６はその上端部に内側に向けられたリップ４０を備えている。また、リング部材１８の下の管状ボディ２０には外側に向けられたフランジ４２が備わり、リップ４０をかみ合わせる。格納リング１６はその上端部に摩擦により密着するショルダー４４を備え、バトン１０の管状壁の低端部４６とかみ合う。これにより、サブアセンブリ２４の上方への動きによりカートリッジ１２が取り出されようとするとき、カートリッジ１２が上方に動くのを防止することが出来る。キャップ４８が格納リングの低端部かつ側部に摩擦密着するように装着されている。
リング部材１８は、その周囲から内部に伸長する、放射状に連続したフィンガー５０を備えている。８本のフィンガー５０は連続しており、４本のフィンガーは他の４本のフィンガーよりも長い。長いフィンガーと短いフィンガーとは交互に配置されている。フィンガー全部のそれぞれの内端部は、球状の終端部５２を有する。
グリップ手段は、コーン２６の内部に設けられた連続する、あるいは不連続の溝５４であり、リブ２２と溝５４はかみ合わされている。
使用において、キャップ４８が取り除かれ、格納リング１６が、持ち上げられる糞に押し入れられる。これは、リング部材１８が糞の中に、糞を通って押されるときに、中に入った糞が外側に散乱するのを防ぎ、中に入った糞が全てリング部材１８によって保持され得ることに長所を有する。次に糞のまた別の部分を持ち上げるため、再度バトン１０を使用する。糞の２回目の部分は１回目の部分を容器内上方に押し上げる。一般的には犬であるような動物のペットといっしょに散歩をしている間、必要な際に、一箇所あるいはいくつかの場所で糞全部を処理する必要があるたびごとに、バトン１０はこのように使用される。
ハンドルは、消毒薬、例えば催涙ガスといったような自己防衛、攻撃用の液体を持ち運びするための、もしくはトーチやアラーム装置を収納するための可閉キャビティ（空洞）を配備するように設計することも可能である。キャビティに液体を入れる用途では、スプレーノズルが液体散布用に組み合わされるであろう。
以上、本発明の実施形態を詳細に説明したが、本発明の範囲を逸脱することなく他の方法でも具体化できることは当業者にとって明らかである。
【図面の簡単な説明】
【図１】
格納リング上にキャップを装着したバトン１０を示した、本発明に基づく器具の断面図である。
【図２】
図２Ａはバトンの使用に必要な一連の動作を示したものであり、この中で、キャップを付けた格納リングを示した、バトンの低位部分の断面図である。
図２Ｂは、　キャップが取り除かれ、持ち上げられる糞の中に押し入れられた格納リングを示した、バトン低位部分の断面図である。
図２Ｃは、糞の中に押し入れられたリング部材を示した、バトン低位部分の断面図である。
図２Ｄは、リング部材の別サイドに保持された糞を持ち上げながら糞から引き上げられたバトンを示した、バトン低位部分の断面図である。
【図３】
バトン１０の上端部に設けられたガイドの拡大図である。
【図４】
リング部材の拡大図である。
【符号の説明】
１０　バトン　１０Ａ　底部　１０Ｂ　底端部
１２　カートリッジ　１４　容器
１６　格納リング　１８　リング部材　２０　管状ボディ
【図１】
2004503225.tif 000003
【図２】
2004503225.tif 000004
【図３】
2004503225.tif 000005
【図４】
2004503225.tif 000006
【国際公開パンフレット】
2004503225.tif 000007
2004503225.tif 000008
2004503225.tif 000009
2004503225.tif 000010
2004503225.tif 000011
2004503225.tif 000012
2004503225.tif 000013
2004503225.tif 000014
2004503225.tif 000015
2004503225.tif 000016
【国際公開パンフレット（コレクトバージョン）】
2004503225.tif 000017
2004503225.tif 000018
【国際調査報告】
2004503225.tif 000019
2004503225.tif 000020
2004503225.tif 000021